(57)【特許請求の範囲】
【請求項１】
商品等に固定される第１シート部と、上記商品等の陳列場所に固定される第２シート部と、これら両シート部に連結される連結部とを備え、この連結部が、同一平面上で曲げ形成された合成樹脂製の帯状体からなって伸縮自在に構成され、この帯状体の一端部が第１シート部に連結されているとともに、他端部が第２シート部に連結され、上記帯状体をその弾性力に抗して一側方に伸長させた状態では、上記帯状体に、これを元の曲げ状態に戻そうとする復元力が作用するようにした構成されていることを特徴とする盗難防止具。
【請求項２】
上記帯状体が同一平面上でらせん状にもしくはジグザグ状に曲げ形成されている請求項１記載の盗難防止具。
【請求項３】
上記両シート部と帯状体とが１枚の合成樹脂製のシート材により一連に形成され、上記帯状体を収縮させた状態で、上記帯状体が同一平面上に配設され、かつ上記両シート部とも同一平面上に配設されている請求項１または２記載の盗難防止具。
【発明の詳細な説明】
【技術分野】
【０００１】
本発明は、盗難防止具に関するものである。
【背景技術】
【０００２】
従来から、化粧料容器等の小形，軽量の各種商品やその見本品を店頭等で陳列，展示する陳列装置等では、上記商品や見本品が盗難されないように、各種の盗難防止具が用いられている。このような盗難防止具として、図１１に示すようなものが用いられている。この盗難防止具は、一側面に両面テープ３１ａ，３２ａが貼着され他側面にリング体３１ｂ，３２ｂが着脱自在に固定された２つの固定金具３１，３２と、これら両固定金具３１，３２のリング体３１ｂ，３２ｂに取付けられ上記両固定金具３１，３２を連結するチェーン３３と、このチェーン３３に挿通されたナット３４とを備えている。そして、一方の固定金具３１の両面テープ３１ａを陳列装置の陳列棚（図示せず）に固定するとともに、他方の固定金具３２の両面テープ３２ａを、上記陳列棚に陳列される商品等（図示せず）に固定し、チェーン３３を、上記陳列棚に設けた穴や上記陳列棚の側端縁から下方に垂らすようにしている。このものでは、上記陳列棚に商品等がチェーン３３を介して連結，固定されているため、上記陳列棚から商品等を持ち去ろうとしても、持ち去ることができない。また、持ち去ろうとした商品等を、これを陳列していた場所から離れた場所（例えば、同じ陳列棚で、元の陳列場所から離れた場所）に放置しても、この放置により、チェーン３３に挿通したナット３４がその重みで降下し、チェーン３３が、上記商品等を陳列していた場所に向かって引っ張られるため、商品等が上記場所もしくはその近傍に戻って来るようになっている。
【発明の開示】
【発明が解決しようとする課題】
【０００３】
しかしながら、上記の盗難防止具では、２つの固定金具３１，３２とチェーン３３とナット３４とを用いており、重量が重く、嵩張るうえ、部品点数が多く、運搬作業や保管作業等に手間がかかり、運搬や保管等のために広いスペースが必要になり、また、在庫管理等が煩雑化する。しかも、両固定金具３１，３２がチェーン３３で連結されているだけであるため、商品等を簡単に横方向等に移動させることができ、商品等を位置決めする機能を有していない。しかも、商品等を手に取って見たのち元の陳列場所に戻そうとしても、元の陳列場所を覚えていない場合には、元の陳列場所の目安となるものは上記一方の固定金具３１だけであるため、この固定金具３１の近くに戻すことはできるものの、元の陳列場所に戻すことができない。しかも、チェーン３３やナット３４は金属製であるため、陳列装置や商品等の周囲の他物に当たると、これらを損傷させたり、破損させたりする。しかも、両固定金具３１，３２を上記陳列棚や商品等に固定する際に、両固定金具３１，３２、チェーン３３、ナット３４同士が接触等して金属音を出し、耳障りである。
【０００４】
本発明は、このような事情に鑑みなされたもので、重量が軽くて嵩張らないうえ、部品点数が少なく、しかも、商品等を位置決めする機能を有し、しかも、手に取って見たのちに簡単に元の陳列場所に戻すことができ、しかも、周囲の他物を損傷させたり、破損させたりすることがなく、しかも、金属音を出さない盗難防止具の提供をその目的とする。
【課題を解決するための手段】
【０００５】
上記の目的を達成するために、本発明の盗難防止具は、商品等に固定される第１シート部と、上記商品等の陳列場所に固定される第２シート部と、これら両シート部に連結される連結部とを備え、この連結部が、同一平面上で曲げ形成された合成樹脂製の帯状体からなって伸縮自在に構成され、この帯状体の一端部が第１シート部に連結されているとともに、他端部が第２シート部に連結され、上記帯状体をその弾性力に抗して一側方に伸長させた状態では、上記帯状体に、これを元の曲げ状態に戻そうとする復元力が作用するようにした構成されているという構成をとる。
【発明の効果】
【０００６】
すなわち、本発明の盗難防止具は、商品等に固定される第１シート部と、上記商品等の陳列場所に固定される第２シート部と、これら両シート部に連結される連結部とを備えている。また、上記連結部が、同一平面上で曲げ形成された合成樹脂製の帯状体からなって伸縮自在に構成され、この帯状体の一端部が第１シート部に連結されているとともに、他端部が第２シート部に連結されている。そして、上記帯状体をその弾性力に抗して一側方に伸長させた状態では、上記帯状体に、これを元の曲げ状態に戻そうとする復元力が作用するように構成されている。このように、本発明の盗難防止具では、商品等が陳列場所に帯状体を介して連結，固定されているため、商品等を陳列場所から持ち去ろうとしても、持ち去ることができない。また、持ち去ろうとした商品等を、陳列場所から離れた場所に放置しても、上記帯状体の復元力により、商品等が元の陳列場所もしくはその近傍にまで戻される。
【０００７】
しかも、上記連結部が、同一平面上で曲げ形成された合成樹脂製の帯状体からなり、かつ復元力を有しているため、重量が軽く、嵩張らないうえ、従来例のようなナット３４を必要とせず、部品点数が少なくなる。したがって、運搬作業や保管作業等に手間がかからず、運搬や保管等のために広いスペースを必要としないうえ、在庫管理等が簡素化する。しかも、上記帯状体が、同一平面上で曲げ形成された（復元力を有する）もので構成されているため、これを横方向に移動させて商品等の位置を横方向にずらせることが難しく、商品等を所定の位置に位置決めすることが可能になる。しかも、商品等を手に取って見たのち陳列場所に戻そうとすると、上記帯状体の復元力により商品等が元の陳列場所に引っ張られるため、商品等を元の陳列場所に簡単に戻すことができる。しかも、上記帯状体が合成樹脂製であるため、周囲の他物に当たっても、これを損傷させたり、破損させたりすることがないうえ、金属音等を発することがなく、耳障りでもなくなる。なお、本発明において、「商品等」とは、商品以外に、その見本品等を含む意味である。また、本発明において、「陳列場所」とは、商品等を陳列するための場所を指し、陳列棚や陳列台等、商品等を載置して陳列，展示する場所だけでなく、この場所で商品等の周囲に配設されているもの（例えば、縦壁，縦板や天井壁，天井板）をも含む意味である。
【０００８】
また、上記帯状体が同一平面上でらせん状にもしくはジグザグ状に曲げ形成されていると、簡単な曲げ形状でありながら、伸長時の長さが長い帯状体を得ることができる。
【０００９】
また、上記両シート部と帯状体とが１枚の合成樹脂製のシート材により一連に形成され、上記帯状体を収縮させた状態で、上記帯状体が同一平面上に配設され、かつ上記両シート部とも同一平面上に配設されていると、厚みが薄くて嵩張らない盗難防止具を得ることができる。
【発明を実施するための最良の形態】
【００１０】
つぎに、本発明の実施の形態を図面にもとづいて詳しく説明する。
【００１１】
図１および図２は本発明の盗難防止具の一実施の形態を示している。これらの図において、１は透明な罫線入りプラスチックシートであり、四角形状に形成された１枚のプラスチック（ＰＥＴ［ポリエチレンテレフタレート］，ＰＰ［ポリプロピレン］等）製の透明シートを、罫線刃（ともに図示せず）を用い、所定の外形に形成するとともに、らせん状の切り目１ａを形成したものからなっている。このプラスチックシート１は、略円形に形成された第１固定用シート部（第１シート部）１１と、この第１固定用シート部１１の外周縁から延び上記第１固定用シート部１１の外周面に沿ってらせん状に（この実施の形態では、３〜４周程度）巻回される一条の帯状体１２と、この帯状体１２の一端（遊端）に連結される略円形の第２固定用シート部（第２シート部）１３とを備えており、上記帯状体１２が、上記両固定用シート部１１，１３を連結する連結部となっている。このようにらせん状に巻回された帯状体１２は、その弾性力に抗して上方向や斜め上方向に伸長させることが可能であり、この伸長状態では、上記帯状体１２に、これを元の曲げ状態に戻そうとする復元力が作用している。一方、上記帯状体１２を横方向に伸長させることは難しい。また、上記両固定用シート部１１，１３と帯状体１２とは、上記プラスチックシート１に形成されたものであるから、同一平面上に配設されている。
【００１２】
２は上記第１固定用シート部１１の上面に接着，固定された第１両面テープであり、四角形状のスポンジ製シートの両面に接着剤層（ともに図示せず）を形成したもので構成されている。この第１両面テープ２は、使用時には陳列台（陳列場所）５上に載置される口紅容器等の見本品６の底面に接着，固定される（図３参照）。３は上記第２固定用シート部１２の下面に接着，固定された第２両面テープであり、四角形状のスポンジ製シートの両面に接着剤層（ともに図示せず）を形成したもので構成されている。この第２両面テープ３は、使用時には上記陳列棚５に接着，固定される（図３参照）。
【００１３】
上記の構成において、陳列台５に見本品６を陳列する場合には、見本品６の底面に第１両面テープ２を介して第１固定用シート部１１を接着，固定し、見本品６を陳列台５上の所望の位置に載置したのち、第２固定用シート部１３を第２両面テープ３を介して陳列台５上に接着，固定することを行う。また、この陳列状態から、見本品６を持ち去ろうとしても、この見本品６は陳列台５に上記両固定用シート部１１，１３および帯状体１２を介して連結，固定されているため、持ち去ることができない（図４参照）。また、持ち去ろうとした見本品６を、この見本品６を載置した場所（元の陳列場所）から離れた場所に放置しても、上記帯状体１２の復元力により、見本品６は元の陳列場所もしくはその近傍位置に戻される。
【００１４】
このように、上記実施の形態では、陳列台５上に載置された見本品６を持ち去ろうとしても、持ち去ることができない。また、持ち去ろうとした見本品６を元の陳列場所から離れた場所に放置しても、帯状体１２の復元力により、元の陳列場所もしくはその近傍位置に戻すことができる。また、見本品６を手にとって見たのち元の陳列場所に戻そうとすると、上記帯状体１２の復元力により見本品６が元の陳列場所に引っ張られるため、見本品６を元の陳列場所に簡単に戻すことができる。しかも、１枚のプラスチックシート１に両固定用シート部１１，１３と帯状体１２とが形成されているため、重量が軽く、嵩張らないうえ、従来例のようなナット３４を必要とせず、部品点数が少なくなる。したがって、運搬作業や保管作業等に手間がかからず、運搬や保管等のために広いスペースを必要としないうえ、在庫管理等が簡素化する。しかも、上記帯状体１２を横方向に伸長させて見本品６の位置を横方向にずらせることが難しいため、見本品６を所定の位置に位置決めすることが可能になる。しかも、上記帯状体１２がプラスチック製であるため、周囲の他物に当たっても、これを損傷させたり、破損させたりすることがないうえ、金属音等を発することもない。
【００１５】
図５は本発明の盗難防止具の他の実施の形態を示している。この実施の形態では、上記プラスチックシート１は、略円形に形成された第１固定用シート部１５と、略円形に形成された第２固定用シート部１６と、上記第１固定用シート部１５の外周縁から延び上記第１固定用シート部１５の外周面に沿ってらせん状に（３〜４周程度）巻回される左側帯状体１７ａと上記第２固定用シート部１６の外周縁から延び上記第２固定用シート部１６の外周面に沿ってらせん状に（３〜４周程度）巻回される右側帯状体１７ｂとを連結してなる一条の帯状体１７とを備えている。それ以外の部分は上記実施の形態と同様であり、同様の部分には同じ符号を付している。この実施の形態でも、上記実施の形態と同様の作用・効果を奏する。
【００１６】
図６は本発明の盗難防止具のさらに他の実施の形態を示している。この実施の形態では、図５に示す実施の形態において、帯状体１７の左側帯状体１７ａと右側帯状体１７ｂとを連結片１７ｃを介して連結している。それ以外の部分は、図５に示す実施の形態と同様であり、同様の部分には同じ符号を付している。この実施の形態でも、図５に示す実施の形態と同様の作用・効果を奏する。
【００１７】
図７は本発明の盗難防止具のさらに他の実施の形態を示している。この実施の形態では、上記プラスチックシート１は、略四角形に形成された第１固定用シート部１９と、この第１固定用シート部１９の外周縁から延び上記第１固定用シート部１９の外周面に沿って略直角に折れ曲がりながら（３〜４周程度）巻回される帯状体２０と、この帯状体２０の一端（遊端）に連結される略四角形の第２固定用シート部２１とを備えている。それ以外の部分は、図１および図２に示す実施の形態と同様であり、同様の部分には同じ符号を付している。この実施の形態でも、図１および図２に示す実施の形態と同様の作用・効果を奏する。
【００１８】
図８は本発明の盗難防止具のさらに他の実施の形態を示している。この実施の形態では、上記プラスチックシート１は、略四角形に形成された第１固定用シート部２３と、略四角形に形成された第２固定用シート部２４と、略長方形に形成された連結部２５とを備えている。この連結部２５には、一側面（この実施の形態では、前側面）から他側面（この実施の形態では、後側面）に向かって一直線状に延びる切り目２５ａと、他側面から一側面に向かって一直線状に延びる切り目２５ｂとが左右に交互に形成されており、これにより、上記連結部２５が、ジグザグ状に折れ曲がる一条の帯状体に形成されている。それ以外の部分は、図１および図２に示す実施の形態と同様であり、同様の部分には同じ符号を付している。この実施の形態でも、図１および図２に示す実施の形態と同様の作用・効果を奏する。
【００１９】
図９は本発明の盗難防止具のさらに他の実施の形態を示している。この実施の形態では、図８に示す実施の形態における切り目２５ａ，２５ｂに代えて、所定の幅を有する切欠き部２７ａ，２７ｂが形成されている。また、前後方向の長さが内側ほど長く形成されている。それ以外の部分は、図８に示す実施の形態と同様であり、同様の部分には同じ符号を付している。この実施の形態でも、図８に示す実施の形態と同様の作用・効果を奏する。
【００２０】
図１０は本発明の盗難防止具の他の使用態様を示している。この使用態様では、図１および図２に示すプラスチックシート１を陳列台５の縦壁５ａに接着，固定している。この使用態様でも、図１および図２に示す実施の形態と同様の作用・効果を奏する。
【００２１】
なお、上記各実施の形態では、陳列台５に口紅容器等の見本品６を陳列しているが、これに限定するものではなく、商品である口紅容器等を陳列してもよいし、口紅容器以外の各種の商品もしくはその見本品６を陳列してもよい。また、上記各実施の形態では、両固定用シート部１１，１３に両面テープ２，３を接着，固定しているが、面ファスナー，強粘着剤等の各種の固定手段を固定することができる。また、このような固定手段は、両固定用シート部１１，１３や陳列台５，見本品６に着脱可能でもよいし、着脱不能でもよい。
【図面の簡単な説明】
【００２２】
【図１】本発明の盗難防止具の一実施の形態を示す平面図である。
【図２】上記盗難防止具の側面図である。
【図３】上記盗難防止具の使用態様を示す側面図である。
【図４】上記盗難防止具の作用を示す説明図である。
【図５】本発明の盗難防止具の他の実施の形態を示す平面図である。
【図６】本発明の盗難防止具のさらに他の実施の形態を示す平面図である。
【図７】本発明の盗難防止具のさらに他の実施の形態を示す平面図である。
【図８】本発明の盗難防止具のさらに他の実施の形態を示す平面図である。
【図９】本発明の盗難防止具のさらに他の実施の形態を示す平面図である。
【図１０】上記盗難防止具の他の使用態様を示す側面図である。
【図１１】従来例を示す説明図である。
【符号の説明】
【００２３】
１１  第１固定用シート部
１２  帯状体
１３  第２固定用シート部
【図１】
0004625725.tif 000002
【図２】
0004625725.tif 000003
【図３】
0004625725.tif 000004
【図４】
0004625725.tif 000005
【図５】
0004625725.tif 000006
【図６】
0004625725.tif 000007
【図７】
0004625725.tif 000008
【図８】
0004625725.tif 000009
【図９】
0004625725.tif 000010
【図１０】
0004625725.tif 000011
【図１１】
0004625725.tif 000012